(57)【要約】      （修正有）【課題】操作が便利になるだけでなく、車内のディスプレイに携帯端末と同様の先進的な機能をもたせることができる車両搭載ディスプレイ接続装置を提供する。【解決手段】連接装置（コネクター）Ａと、装置上のジャックを通じて携帯端末Ｂと接続して信号を送受信すると、信号を伝送するコントロールする装置（コントローラー）Ｃとを含む。コントローラーＣの一端は連接装置Ａ、もう一端は車内のディスプレイＤと接続されており、携帯端末Ｂの画面を車内の複数のディスプレイに表示することができる。タッチパネルのディスプレイＤの場合、タッチパネルの信号は連接装置Ａならびに携帯端末Ｂにも同時に送られるため、携帯端末Ｂをもって操作することが可能となる。ユーザーは、携帯端末Ｂと車内搭載のディスプレイＤを一体のものとして利用できるようになる。【選択図】図１
0003194987.tif 000002
【実用新案登録請求の範囲】
【請求項１】
車両搭載ディスプレイ接続装置であって、以下を含む：
連接装置と、装置上のジャックを通じて携帯端末と接続して信号を送受信すると、
信号を伝送するコントロールする装置、その一端は連接装置、もう一端は車内のディスプレイと接続されており、携帯端末の画面を車内の複数のディスプレイに表示することができるがタッチパネルのディスプレイの場合、タッチパネルの信号は連接装置ならびに携帯端末にも同時に送られるため、携帯端末をもって操作することが可能となると、
この仕組みを通じて、ユーザーは、携帯端末と車内搭載のディスプレイを一体のものとして利用できるようになり、操作が便利になるだけでなく、車内のディスプレイに携帯端末と同様の先進的な機能をもたせることができ、余計なコストをかけることなく、車内搭載のディスプレイの効能をランクアップさせることで、ドライバーが携帯端末をいじるという危険性もなくなる、装置。
【請求項２】
前記連接装置はカーオーディオと接続することで、携帯端末の音声信号をオーディオ装置に伝送できることを特徴とする請求項１に記載の車両搭載ディスプレイ接続装置。
【請求項３】
前記連接装置はこのように車両または車内に設置されていた複数の設備と整合し一体のものとすることを特徴とする請求項１に記載の車両搭載ディスプレイ接続装置。
【請求項４】
前記連接装置上には複数のプラグまたはジャックを取り付けることができ、複数の携帯端末および車内コンピューターと接続できるばかりか、複数の転換プラグを通じて、さらに多様な端末やコンピューターを支援できることを特徴とする請求項１〜３のいずれか一項に記載の車両搭載ディスプレイ接続装置。
【請求項５】
前記車内搭載のディスプレイの画面を分割したり、小さい画面を映し出したりすることで、携帯端Ｂの画面とディスプレイ本来の映像や情報を同時に視聴できることを特徴とする請求項１〜３のいずれか一項に記載の車両搭載ディスプレイ接続装置。
【請求項６】
前記車内搭載ディスプレイを通じ携帯端末とファイルを伝送したりファイルを共有したりでき、また車内ディスプレイの画面を携帯端末に送ったり、携帯端末の無線インターネットを通じて情報をクラウドシステムに伝送したりできることを特徴とする請求項１〜３のいずれか一項に記載の車両搭載ディスプレイ接続装置。
【請求項７】
使用上特筆すべき特徴として、携帯端末上のソフトを使って携帯端末の画面を映し出すとき、車用ディスプレイの規格に沿ってディスプレイを横向の状態に保持できる、また携帯端末をディスプレイ保護モードにする必要もないことを特徴とする請求項１〜３のいずれか一項に記載の車両搭載ディスプレイ接続装置。
【請求項８】
前記連接装置は、ハード・ファームウェア・ソフトを通じて、携帯端末とかカーナビゲーションとか、連接装置の数種の信号を選択できることを特徴とする請求項１〜３のいずれか一項に記載の車両搭載ディスプレイ接続装置。
【考案の詳細な説明】
【技術分野】
【０００１】
本考案は、車内のディスプレイと接続される車両搭載ディスプレイ接続装置に関する。
【背景技術】
【０００２】
科学技術は日進月歩を続けている。自家用車などの交通手段の購入費用は下がる傾向にあっても、その至便性はますます向上しており、すでに自動車は日常生活に必須の道具といえよう。
【０００３】
今日自動車にとってディスプレイは欠かせない装置になっている。しかし現在、その主たる機能は衛星からの映像や信号を受信するにとどまっており、他の発展的効能をみることはできない。そのため乗客もドライバーもｉ−ＰＨＯＮＥやアンドロイドといった携帯端末を使って、情報を仕入れたり娯楽に供したりしているのが現実だ。
【０００４】
しかし携帯端末はディスプレイ部分が小さく、頭を下げて操作する必要があり、危険なだけでなく視力への影響も心配されている。そこで車内に搭載済みのディスプレイを如何に活用するかに技術者の関心が集まっている。
【考案の概要】
【課題を解決するための手段】
【０００５】
これに鑑みて、本考案では車両搭載ディスプレイ接続装置を提供するものであり、操作が便利になるだけでなく、車内のディスプレイに携帯端末と同様の先進的な機能をもたせることができ、余計なコストをかけることなく、車内搭載のディスプレイの効能をランクアップさせることで、ドライバーが携帯端末をいじるという危険性もなくなる。
【０００６】
本考案が車両搭載ディスプレイ接続装置には以下を含む：連接装置（コネクター）と、装置上のジャックを通じて携帯端末と接続して信号を送受信すると、信号を伝送するコントロールする装置（コントローラー）、その一端は連接装置、もう一端は車内のディスプレイと接続されており、携帯端末の画面を車内の複数のディスプレイに表示することができる。がタッチパネルのディスプレイの場合、タッチパネルの信号は連接装置ならびに携帯端末にも同時に送られるため、携帯端末をもって操作することが可能となる。この仕組みを通じて、ユーザーは、携帯端末と車内搭載のディスプレイを一体のものとして利用できるようになる。操作が便利になるだけでなく、車内のディスプレイに携帯端末と同様の先進的な機能をもたせることができ、余計なコストをかけることなく、車内搭載のディスプレイの効能をランクアップさせることで、ドライバーが携帯端末をいじるという危険性もなくなる。
【０００７】
本考案の特徴および技術内容をより詳細に理解できるよう、本考案に係る詳細な説明および図面を参照されたい。ただし図面は単に参考および説明に供されるのみであり、本考案を限定するためのものではない。
【図面の簡単な説明】
【０００８】
【図１】本考案が車両搭載ディスプレイ接続装置の見取図である。
【考案を実施するための形態】
【０００９】
本考案が車両搭載ディスプレイ接続装置の見取図である図１を参照されたい。本考案が車両搭載ディスプレイ接続装置には以下を含む：連接装置（コネクター）Ａと、装置上のジャックを通じて携帯端末Ｂと接続して信号を送受信すると、信号を伝送するコントロールする装置（コントローラー）Ｃ、その一端は連接装置Ａ、もう一端は車内のディスプレイＤと接続されており、携帯端末Ｂの画面を車内の複数のディスプレイＤに表示することができる。がタッチパネルのディスプレイの場合、タッチパネルの信号は連接装置Ａならびに携帯端末Ｂにも同時に送られるため、携帯端末Ｂをもって操作することが可能となる。この仕組みを通じて、ユーザーは、携帯端末Ｂと車内搭載のディスプレイＤを一体のものとして利用できるようになる。操作が便利になるだけでなく、車内のディスプレイＤに携帯端末Ｂと同様の先進的な機能をもたせることができ、余計なコストをかけることなく、車内搭載のディスプレイＤの効能をランクアップさせることで、ドライバーが携帯端末Ｂをいじるという危険性もなくなる。
【００１０】
本考案が車両搭載ディスプレイ接続装置のうちの連接装置（コネクター）Ａはカーオーディオと接続することで、携帯端末Ｂの音声信号をオーディオ装置に伝送できる。
【００１１】
本考案が車両搭載ディスプレイ接続装置のうちの連接装置（コネクター）Ａはこのように車両または車内に設置されていた複数の設備と整合し一体のものとすることができる。
【００１２】
本考案が車両搭載ディスプレイ接続装置のうちの連接装置上（コネクター）Ａには複数のプラグまたはジャックを取り付けることができ、複数の携帯端末Ｂおよび車内コンピューターと  Ｅ接続できるばかりか、複数の転換プラグを通じて、さらに多様な端末やコンピューターを支援できる。
【００１３】
本考案が車両搭載ディスプレイ接続装置は、車内搭載のディスプレイＤの画面を分割したり、小さい画面を映し出したりすることで、携帯端末Ｂの画面とディスプレイＤ本来の映像や情報を同時に視聴できる。
【００１４】
本考案が車両搭載ディスプレイ接続装置は、車内搭載ディスプレイＤを通じ携帯端末Ｂとファイルを伝送したりファイルを共有したりできる。また車内ディスプレイＤの画面を携帯端末Ｂに送ったり、携帯端末Ｂの無線インターネットを通じて情報をクラウドシステムに伝送したりできる
使用上特筆すべき特徴として、携帯端末Ｂ上のソフトを使って携帯端末の画面を映し出すとき、車用ディスプレイの規格に沿ってディスプレイを横向の状態に保持できる。また携帯端末をディスプレイ保護モードにする必要もない。
【００１５】
さらに連接装置Ａは、ハード・ファームウェア・ソフトを通じて、携帯端末とかカーナビゲーションとか、連接装置の数種の信号を選択できる。
【００１６】
ただし、上記は、本考案の好適な一つの具体的な実施例の詳細な説明および図面に過ぎず、当業者が本考案の範囲内で容易に想到し得る変更または追加はいずれも本願の特許請求の範囲に含まれるものである。
【符号の説明】
【００１７】
Ａ  連接装置（コネクター）
Ｂ  装置上のジャックを通じて携帯端末  
Ｃ  信号を伝送するコントロールする装置（コントローラー）
Ｄ  ディスプレイ
Ｅ  車内コンピューター
【図１】
0003194987.tif 000003
【手続補正書】
【提出日】平成26年8月13日(2014.8.13)
【手続補正１】
【補正対象書類名】実用新案登録請求の範囲
【補正対象項目名】全文
【補正方法】変更
【補正の内容】
【実用新案登録請求の範囲】
【請求項１】
連接装置、および、装置上のジャックを通じて携帯端末と接続して信号を送受信すると信号を伝送する、コントロールする装置を含み、
前記コントロールする装置の一端は連接装置、もう一端は車内のディスプレイと接続されており、携帯端末の画面を車内の複数のディスプレイに表示することができるがタッチパネルのディスプレイの場合、タッチパネルの信号は連接装置ならびに携帯端末にも同時に送られることによって、携帯端末をもって操作することが可能となることを特徴とする車両搭載ディスプレイ接続装置。
【請求項２】
前記連接装置はカーオーディオと接続することで、携帯端末の音声信号をオーディオ装置に伝送できることを特徴とする請求項１に記載の車両搭載ディスプレイ接続装置。
【請求項３】
前記連接装置上には複数のプラグまたはジャックを取り付けることができ、複数の携帯端末および車内コンピューターと接続できるばかりか、複数の転換プラグを通じて、さらに多様な端末やコンピューターを支援できることを特徴とする請求項１または２に記載の車両搭載ディスプレイ接続装置。
【請求項４】
前記車内搭載のディスプレイの画面を分割したり、小さい画面を映し出したりすることで、携帯端Ｂの画面とディスプレイ本来の映像や情報を同時に視聴できることを特徴とする請求項１または２に記載の車両搭載ディスプレイ接続装置。
【請求項５】
前記車内搭載ディスプレイを通じ携帯端末とファイルを伝送したりファイルを共有したりでき、また車内ディスプレイの画面を携帯端末に送ったり、携帯端末の無線インターネットを通じて情報をクラウドシステムに伝送したりできることを特徴とする請求項１または２に記載の車両搭載ディスプレイ接続装置。
【請求項６】
前記連接装置は、ハード・ファームウェア・ソフトを通じて、携帯端末とかカーナビゲーションとか、連接装置の数種の信号を選択できることを特徴とする請求項１または２に記載の車両搭載ディスプレイ接続装置。
【手続補正２】
【補正対象書類名】明細書
【補正対象項目名】０００３
【補正方法】変更
【補正の内容】
【０００３】
今日自動車にとってディスプレイは欠かせない装置になっている。しかし現在、その主たる機能は衛星からの映像や信号を受信するにとどまっており、他の発展的効能をみることはできない。そのため乗客もドライバーもｉＰｈｏｎｅ（登録商標）やアンドロイド（登録商標）といった携帯端末を使って、情報を仕入れたり娯楽に供したりしているのが現実だ。
【手続補正書】
【提出日】平成26年10月7日(2014.10.7)
【手続補正１】
【補正対象書類名】実用新案登録請求の範囲
【補正対象項目名】全文
【補正方法】変更
【補正の内容】
【実用新案登録請求の範囲】
【請求項１】
連接装置、および、装置上のジャックを通じて携帯端末と接続して信号を送受信すると信号を伝送する、コントロールする装置を含み、
前記コントロールする装置の一端は連接装置、もう一端は車内のディスプレイと接続されており、携帯端末の画面を車内の複数のディスプレイに表示することができるがタッチパネルのディスプレイの場合、タッチパネルの信号は連接装置ならびに携帯端末にも同時に送られることによって、携帯端末をもって操作することが可能となることを特徴とする車両搭載ディスプレイ接続装置。
【請求項２】
前記連接装置はカーオーディオと接続することで、携帯端末の音声信号をオーディオ装置に伝送できることを特徴とする請求項１に記載の車両搭載ディスプレイ接続装置。
【請求項３】
前記連接装置上には複数のプラグまたはジャックを取り付けることができ、複数の携帯端末および車内コンピューターと接続できるばかりか、複数の転換プラグを通じて、さらに多様な端末やコンピューターを支援できることを特徴とする請求項１または２に記載の車両搭載ディスプレイ接続装置。
【請求項４】
前記車内搭載のディスプレイの画面を分割したり、小さい画面を映し出したりすることで、携帯端末の画面とディスプレイ本来の映像や情報を同時に視聴できることを特徴とする請求項１または２に記載の車両搭載ディスプレイ接続装置。
【請求項５】
前記車内搭載ディスプレイを通じ携帯端末とファイルを伝送したりファイルを共有したりでき、また車内ディスプレイの画面を携帯端末に送ったり、携帯端末の無線インターネットを通じて情報をクラウドシステムに伝送したりできることを特徴とする請求項１または２に記載の車両搭載ディスプレイ接続装置。
【請求項６】
前記連接装置は、ハード・ファームウェア・ソフトを通じて、携帯端末とかカーナビゲーションとか、連接装置の数種の信号を選択できることを特徴とする請求項１または２に記載の車両搭載ディスプレイ接続装置。